(57)【要約】【課題】  強く仮止めでき本締めする際にボルトの回動量を少なくでき作業性のよいうえ各種のポールの径に対応できるポール用取付金具を提供する。【解決手段】  前面開口側をポール受部２に形成した四角箱状の締め付け金具本体１の一方の側部に多数の係止孔３１を所要の間隔で配設したポール巻回用のバンド３の基端側を固定させる係止部４を設け、また、前記締め付け金具本体１の他方の側部に近い前面開口から締め付け金具本体内に該バンドの先端側を挿入したうえ締め付け金具本体１の背板部11に形成した窓孔11ａから張出させて該窓孔11ａに設けたフック部５にバンド３の係止孔３１を係止するポール用取付金具において、締め付け金具本体１内に前面開口とフック部５に位置するバンド３の箇所にボルト７の進出回動により摺動する締め付け部材６をフック部７より締め付け金具本体１の一方の側部寄りの位置を待機位置として設ける。【選択図】  図９
2006083998.tif 000002
【特許請求の範囲】
【請求項１】
前面開口側の上板部と下板部の前縁を凹部形状としてその両端側をポール受部に形成した四角箱状の締め付け金具本体の一方の側部に多数の係止孔を所要の間隔で配設したポール巻回用のバンドの基端側を固定させる係止部を設け、また、前記締め付け金具本体の他方の側部に近い前面開口から締め付け金具本体内に該バンドの先端側を挿入したうえ締め付け金具本体の背面板に形成した窓孔から張出させて該窓孔に設けたフック部にバンドの係止孔を係止するポール用取付金具において、締め付け金具本体内に前面開口とフック部の間に位置するバンドの箇所にボルトの進出回動により摺動する締め付け部材をフック部より締め付け金具本体の一方の側部寄りの位置を待機位置として設けたことを特徴とするポール用取付金具。
【請求項２】
バンドの全長に亘り係止孔を設けたものとして、且つ締め付け金具本体のバンドの基端側を固定させる係止部をフック部よりなるものとしてバンドの基端側の係止孔を着脱自在に係止するものとした請求項１に記載のポール用取付金具。
【発明の詳細な説明】
【技術分野】
【０００１】
本発明は、電柱やその他のポール類に電気・電子機器やこれらを搭載した電気・電子機器収納箱を取り付けるためのポール用取付金具に関するものである。
【背景技術】
【０００２】
ポール用取付金具としては、図１１に示すように電気・電子機器収納箱などを取り付けるための取付金具１００をポール径に応じた凹弧状の受部１０１を設けたものとして、受部１０１の端部においてポール（イ）を巻回するバンド１０２の両端をボルト、ナット１０３により仮止めしたうえその後にボルト、ナット１０３を強く締め付け固定するものが知られている。ところが、これは仮止め時においてバンド１０２を単にポールに引っ掛けた程度に過ぎず、本締めするにはボルト、ナット１０３の締付距離が長くなりボルトを回動させる回数も多く作業性が悪かった。また、ボルト１０３がバンド１０２に対して接線状となる小さな角度でなければ強固な締め付けが行えないものであることから、図１１（Ｂ）に示すように小径のポール（イ−１）に大径用の取付金具１００を使用した場合にバンドとボルトとの角度が大きくなり的確な取り付けができないものである。そのため、図１１（Ａ）、（Ｃ）に示すようにポールの径の異なるごとの受部１０１を備えた取付金具１００を製造する必要がありコスト高となる問題がある。
【０００３】
そこで、各種のポールの径に対応できるポール用取付金具として特許文献１に示すものを本出願人が提案したが、これも、仮止め時においてバンドを単にポールに引っ掛けた程度に過ぎず、これに続けて行う本締はボルト、ナットの締付距離が長くなりボルトを回動させる回数も多く作業性の悪いものであった。
【特許文献１】実開平４−６１４２１号公開公報
【発明の開示】
【発明が解決しようとする課題】
【０００４】
本発明は前記のような従来の問題点を解決して、強く仮止めでき本締めする際にボルトの回動量を少なくでき作業性のよいうえ各種のポールの径に対応できるポール用取付金具を提供することである。
【課題を解決するための手段】
【０００５】
本発明のポール用取付金具は、前面開口側の上板部と下板部の前縁を凹部形状としてその両端側をポール受部に形成した四角箱状の締め付け金具本体の一方の側部に多数の係止孔を所要の間隔で配設したポール巻回用のバンドの基端側を固定させる係止部を設け、また、前記締め付け金具本体の他方の側部に近い前面開口から締め付け金具本体内に該バンドの先端側を挿入したうえ締め付け金具本体の背面板に形成した窓孔から張出させて該窓孔に設けたフック部にバンドの係止孔を係止するポール用取付金具において、締め付け金具本体内に前面開口とフック部の間に位置するバンドの箇所にボルトの進出回動により摺動する締め付け部材をフック部より締め付け金具本体の一方の側部寄りの位置を待機位置として設けたことを特徴とする。
【０００６】
また、前記のような発明において、バンドの全長に亘り係止孔を設けたものとして、且つ締め付け金具本体のバンドの基端側を固定させる係止部をフック部よりなるものとしてバンドの基端側の係止孔を着脱自在に係止するものとしたものとしてもよい。
【発明の効果】
【０００７】
本発明のポール用取付金具は、四角箱状の締め付け金具本体の前面開口側の上板部と下板部の前縁を凹部形状としてその両端側に形成したポール受部をポールに当接するものであるから、凹部形状に嵌まり込まない径以上の種々のポールに対応できるものである。そして、このようにポール受部をポールに当接したうえ締め付け金具本体の一方の側部に設けた係止部に基端を固定させたポール巻回用のバンドの先端側を締め付け金具本体の他方の側部に近い前面開口から締め付け金具本体内を通して締め付け金具本体の背面板に形成した窓孔から張出させて引っ張れば、締め付け金具本体内に前面開口とフック部との間に位置するバンドの箇所にボルトの進出回動により摺動する締め付け部材をフック部より締め付け金具本体の一方の側部寄りの位置を待機位置として設けたものであるから、バンドは締め付け部材を支点にベルトのバックルのように締上げできるので、バンドの多数の係止孔のうち窓孔に設けたフック部に位置することとなる係止孔を該フック部を係止すれば強く仮止めできることとなる。その後に、ボルトを進出回動させて締め付け部材を摺動させれば前面開口からフック部に亘るバンドの箇所は該締め付け部材により押圧されてバンドは伸張するので強く本締めできるものであり、仮止めが強固に行えるためボルトの回動させる回数が少なくて済み作業性が優れたものとなる。この場合、バンドは締め付け部材を支点にＶ字状に曲げられているので該締め付け部材を中心に２方向で締付動作が行われるのでボルトの進出回動距離を小さくできその分締め付け金具本体のボルトの長手方向のサイズを小型化できるものである。
【０００８】
また、バンドの全長に亘り係止孔を設けたものとして、且つ締め付け金具本体のバンドの基端側を固定させる係止部をフック部よりなるものとしてバンドの基端側の係止孔を着脱自在に係止するものとすれば、長尺のバンドであっても小径のポールに使用する場合にもバンドの基端側からポールの径に相当する係止孔をフック部に係止して基端に残された部分はバンドの先方側とポールの間に挟持させることにより多物に触れたりする不都合なく設置できるので長尺のバンドを用意するだけで種々の径のポールに対応できるものである。
【発明を実施するための最良の形態】
【０００９】
次に、本発明の好ましい実施の形態を図に基づき説明する。
１は締め付け金具本体であり、該締め付け金具本体１は背板部１１の両側縁前方に左右の側板部１２、１３を折曲させて連設するとともに背板部１１の上縁前方に上板部１４を下縁前方に下板部１５を折曲させて四角箱状に形成したものである。そして、前面開口側すなわち上板部１３と下板部１４の前縁を凹部形状として各凹部形状の両端の２点がポール（イ）に当接するポール受部２に形成している。
【００１０】
また、図１、図２に示すように前記締め付け金具本体１の一方の側部すなわち右側板部１３に多数の係止孔３１を所要の間隔で配設したポール巻回用のバンド３の基端側を固定させる係止部４が該側板部１３に設けた窓孔１３ａの前方側の内縁に内向きに折曲形成したフック部４として設けられており、該フック部４にバンド３の基端側の係止孔３１を係脱自在に固定できるものとしている。また、図６、図７に示すように前記締め付け金具本体１の他方の側部すなわち左側板部１２に近い前面開口から締め付け金具本体１内に挿入したうえ背板部１１に形成した窓孔１１ａから張出させたバンド３の先端側の係止孔３１を係止するフック部５を該窓孔１１ａの左側板部１２寄りの内縁に外向き折曲形成している。
【００１１】
６はボルト７の進出回動により摺動する締め付け部材であり、該締め付け部材６は前記締め付け金具本体１内に前面開口とフック部５との間に位置している箇所のバンド３に臨むようにフック部５より締め付け金具本体１の一方の側部すなわち左側板部１２寄りの位置を待機位置として設けたものである。
【００１２】
なお、前記締め付け部材６は円柱形状としたものであり、また、摺動自在とする手段としては、上板部１４と下板部１５に対向させてレール用の長孔８、８を前後中央に左右方向に設け、該長孔８、８に前記円柱形状とした締め付け部材６の上下端に突設した突起部６１、６１を嵌合したものとして上板部１４と下板部１５の外側からワッシャーを介してネジ止めしている。また、図６に示すように円柱形状とした締め付け部材６の上下端を周縁を円弧面とすることにより締め付け部材６の上下端と上板部１３、下板部１４との内面間にワッシャー等の介在物を介在させなくとも上下にがたつくことなく取り付けでき容易に製造できるものである。また、図３に示すようにボルト７は左側板部１２に設けた雌ねじ部７ａに螺合させて正回動することにより先端が前記締め付け部材６を押圧して該締め付け部材６による後記するようなバンド３の本締めを行うことができるものである。
【００１３】
また、ボルト７の先端が円柱形状とした締め付け部材６を確実に押圧するように図６に示すように締め付け部材６に該ボルト７の先端が嵌合する凹部６２を設け、該凹部６２が確実にボルト７の先端を臨むよう締め付け部材６が突起部６１、６１を中心に回動しないように該突起部６１、６１を角形状としている。なお、締め付け部材６は図７に示すようにコ字型のホルダー９に上下端を回転自在として取り付けてホルダー９を前記のような摺動手段で締め付け金具本体１内に設けてもよい。さらに、締め付け部材６は接触するバンド３が滑るものであれば構造は問わないもので多角形の柱状であっても接触箇所のみ円弧である柱状であってもよい。
【００１４】
このように構成されたものは、四角箱状の締め付け金具本体１の前面開口側の上板部１４と下板部１５の前縁を凹部形状としてその両端側に形成したポール受部２をポール（イ）に当接するものであるから、凹部形状に嵌まり込まない径以上の種々のポールに対応できるものである。そして、このようにポール受部２をポール(イ)に当接したうえ締め付け金具本体１の一方の側部すなわち右側板部１３に設けた窓孔１３ａの前方側の内縁に内向きに折曲形成したフック部として設けた係止部４に基端側を固定させたポール巻回用のバンド３の先端側を締め付け金具本体１の他方の側部すなわち左側板部１２に近い前面開口すなわち左側板部１２の先端に前面開口に向け折曲形成した折曲片部１２ａに設けたガイド孔１２ｂから締め付け金具本体１内に挿入したうえ背板部１１に形成した窓孔１１ａから図８に示すように張出させて引っ張る。
【００１５】
そうすれば、締め付け金具本体１内に前面開口と窓孔１１ａに折曲形成したフック部５との間の箇所のベルトが臨む位置にボルト７の進出回動により摺動する締め付け部材６をフック部５より締め付け金具本体の一方の側部すなわち左側板部１２寄りの位置を待機位置として設けたものであるから、バンド３は締め付け部材６を支点にベルトのバックルのように締上げできるので、バンド３の多数の係止孔３１のうち窓孔１１ａに設けたフック部５に位置することとなる係止孔３１を該フック部を係止すれば強く仮止めできることとなる。
【００１６】
その後に、図９に示すようにボルト７を進出回動させて締め付け部材６を右側板部１３側に摺動させれば前面開口とフック部５との間に位置するバンドの箇所は該締め付け部材６により押圧されてバンド３は伸張するので強く本締めできるものであり、仮止めが強固に行えるためボルトの回動させる回数が少なくて済み作業性が優れたものとなる。そして、図１に示すように別材の機器取付金具(ロ)をバンド３に取り付けうえ該機器取付金具(ロ)に電気機器収納箱（ハ）を取り付たり、図１０に示すように締め付け金具本体１に直接電気機器収納箱（ハ）を取り付けできるものである。また、バンド３は締め付け部材６を支点にＶ字状に曲げられているので該締め付け部材６を中心に２方向で締付動作が行われるのでボルト７の進出回動距離を小さくできその分締め付け金具本体１のボルトの長手方向である左右のサイズを小型化できるものである。
【００１７】
さらに、締め付け部材６の待機位置を左側板部１２寄りとすると締め付け部材６を支点とするバンドのＶ字状角度が大きくて締め付け部材６ボルトは小さなトルクで回動できるその反面回動させる回数が多くなり、逆に締め付け部材６の待機位置を左側板部１２から離れた位置とすると締め付け部材６を支点とするバンドのＶ字状角度が小さくなりなり、ボルトは大きなトルクで回動しなければならないが、少ないで回数の回動でよいので素早くバンドの締め付けができるものである。したがって、作業性や取付ける電気機器収納箱の重量により締め付け部材６の待機位置を設定すればよい。
【００１８】
なお、ボルト７を進出回動させて締め付け部材６を右側板部１３側に摺動させてバンド３を本締めする際に、その反作用により左右側板部１２、１３に外側に広がる力が加わるが、図４、図５に示すように上板部１４と下板部１５の夫々の両側の延長片部１４ｃ、１５ｃを左右側板部１２、１３の上下外面に当接するように折曲させた構成とすることにより外側に広がる力に充分耐えることができ溶接を不要として安価に製造できるものである。
【００１９】
また、バンド３の全長に亘り係止孔３１を設けたものとして、且つ締め付け金具本体１のバンド３の基端側を固定させる係止部４をフック部４よりなるものとしてバンド３の基端側の係止孔３１を着脱自在に係止するものとすることにより、長尺のバンド３であっても小径のポールに使用する場合にもバンド３の基端側からポールの径に相当する係止孔３１をフック部４に係止して基端に残された部分は締め付け金具本体１の前面開口から張出したうえバンド３の先方側とポールの間に挟持させることにより多物に触れたりする不都合なく設置できるので長尺のバンド３を用意するだけで種々の径のポールに対応できるものである。
【図面の簡単な説明】
【００２０】
【図１】本発明の実施の形態を示す平面図である。
【図２】本発明の実施の形態を分解して示す斜視図である。
【図３】本発明の実施の形態に使用する締め付け金具本体を示す一部切欠斜視図である。
【図４】本発明の実施の形態に使用する締め付け金具本体の全体を前面側から示す斜視図である。
【図５】本発明の実施の形態に使用する締め付け金具本体の全体を背面側から示す斜視図である。
【図６】本発明の実施の形態に使用する締め付け部材とボルトの１例を示す斜視図である。
【図７】本発明の実施の形態に使用する締め付け部材の他例を示す斜視図である。
【図８】バンドの仮止め工程を示す断面図である。
【図９】バンドの本締め工程を示す断面図である。
【図１０】締め付け金具本体に直接電気機器収納箱を取り付けた状態を示す平面である。
【図１１】（Ａ）、（Ｂ）、（Ｃ）はいずれも従来例を示す概略平面図である。
【符号の説明】
【００２１】
１  締め付け金具本体
11  背板部
11a  窓孔
２  ポール受部
３  バンド
31  係止孔
４  係止部
５  フック部
６  締め付け部材
７  ボルト
【図１】
2006083998.tif 000003
【図２】
2006083998.tif 000004
【図３】
2006083998.tif 000005
【図４】
2006083998.tif 000006
【図５】
2006083998.tif 000007
【図６】
2006083998.tif 000008
【図７】
2006083998.tif 000009
【図８】
2006083998.tif 000010
【図９】
2006083998.tif 000011
【図１０】
2006083998.tif 000012
【図１１】
2006083998.tif 000013